(57)【要約】  本発明に係る無線基地局ＢＴＳでは、無線装置制御装置ＲＥＣにおいて、物理回線における上り通信障害の発生が検知された場合に、下り通信処理部１１は、全てのアンテナ及び全てのキャリアの組み合わせに対応する下りＩＱデータの値を全て「０」として無線装置ＲＥに送信するように構成されており、下り無線部２１は、値が全て「０」である当該下りＩＱデータを受信した場合に、全てのアンテナを介した全てのキャリアの下り信号の送信を停止するように構成されている。
2010084876.tif 000002
【特許請求の範囲】
【請求項１】
物理回線を介して接続されている無線装置と無線装置制御装置とを具備する無線基地局であって、
前記無線装置は、
各アンテナを介して受信した各キャリアの上り信号に対して復調処理を施すことによって取得した上りＩＱデータを、各アンテナ及び各キャリアの組み合わせに対応する上りＩＱデータとして、前記物理回線を介して前記無線装置制御装置に送信するように構成されている上り通信処理部と、
前記物理回線を介して前記無線装置制御装置から受信した各アンテナ及び各キャリアの組み合わせに対応する下りＩＱデータに対して変調処理を施すことによって取得した各キャリアの下り信号を、各アンテナを介して送信するように構成されている下り無線部とを具備し、
前記無線装置制御装置は、
前記物理回線を介して前記無線装置から受信した前記上りＩＱデータから、上りユーザデータを取得するように構成されている上り通信処理部と、
下りユーザデータから取得した前記下りＩＱデータを、前記物理回線を介して前記無線装置に送信するように構成されている下り通信処理部とを具備し、
前記無線装置制御装置において、前記物理回線における上り通信障害の発生が検知された場合に、前記下り通信処理部は、全てのアンテナ及び全てのキャリアの組み合わせに対応する下りＩＱデータの値を全て「０」として前記無線装置に送信するように構成されており、
前記下り無線部は、値が全て「０」である前記下りＩＱデータを受信した場合に、全てのアンテナを介した全てのキャリアの下り信号の送信を停止するように構成されていることを特徴とする無線基地局。
【請求項２】
物理回線を介して接続されている無線装置と無線装置制御装置とを具備する無線基地局であって、
前記無線装置は、
各アンテナを介して受信した各キャリアの上り信号に対して復調処理を施すことによって取得した上りＩＱデータを、各アンテナ及び各キャリアの組み合わせに対応する上りＩＱデータとして、前記物理回線を介して前記無線装置制御装置に送信するように構成されている上り通信処理部と、
前記物理回線を介して前記無線装置制御装置から受信した各アンテナ及び各キャリアの組み合わせに対応する下りＩＱデータに対して変調処理を施すことによって取得した各キャリアの下り信号を、各アンテナを介して送信するように構成されている下り無線部とを具備し、
前記無線装置制御装置は、
前記物理回線を介して前記無線装置から受信した前記上りＩＱデータから、上りユーザデータを取得するように構成されている上り通信処理部と、
下りユーザデータから取得した前記下りＩＱデータを、前記物理回線を介して前記無線装置に送信するように構成されている下り通信処理部とを具備し、
前記無線装置制御装置において、特定アンテナ及び特定キャリアの組み合わせに対応する上りＩＱデータに対応する前記上り通信処理部又は特定アンテナ及び特定キャリアに組み合わせに対応する下りＩＱデータに対応する前記下り通信処理部における障害の発生が検出された場合に、前記下り通信処理部は、該特定アンテナ及び該特定キャリアの組み合わせに対応する下りＩＱデータの値を全て「０」として前記無線装置に送信するように構成されており、
前記下り無線部は、値が全て「０」である前記下りＩＱデータを受信した場合に、該特定アンテナを介した該特定キャリアの下り信号の送信を停止するように構成されていることを特徴とする無線基地局。
【請求項３】
物理回線を介して接続されている無線装置と無線装置制御装置とを具備する無線基地局であって、
前記無線装置は、
各アンテナを介して各キャリアの上り信号を受信するように構成されている上り無線部と、
受信した前記上り信号に対して復調処理を施すことによって取得した上りＩＱデータを、各アンテナ及び各キャリアの組み合わせに対応する上りＩＱデータとして、前記物理回線を介して前記無線装置制御装置に送信するように構成されている上り通信処理部と、
前記物理回線を介して前記無線装置制御装置から受信した各アンテナ及び各キャリアの組み合わせに対応する下りＩＱデータに対して変調処理を施すことによって取得した各キャリアの下り信号を、各アンテナを介して送信するように構成されている下り無線部とを具備し、
前記無線装置制御装置は、
前記物理回線を介して前記無線装置から受信した前記上りＩＱデータから、上りユーザデータを取得するように構成されている上り通信処理部と、
下りユーザデータから取得した前記下りＩＱデータを、前記物理回線を介して前記無線装置に送信するように構成されている下り通信処理部とを具備し、
前記無線装置において、前記物理回線における下り通信障害の発生が検知された場合、前記上り無線部における障害の発生が検知された場合、或いは、前記下り無線部における障害の発生が検知された場合に、前記下り無線部は、全てのアンテナを介した全てのキャリアの下り信号の送信を停止するように構成されており、前記上り通信処理部は、全てのアンテナ及び全てのキャリアの組み合わせに対応する上りＩＱデータの値を全て「０」として前記無線装置制御装置に送信するように構成されていることを特徴とする無線基地局。
【請求項４】
物理回線を介して接続されている無線装置と無線装置制御装置とを具備する無線基地局であって、
前記無線装置は、
各アンテナを介して受信した各キャリアの上り信号に対して復調処理を施すことによって取得した上りＩＱデータを、各アンテナ及び各キャリアの組み合わせに対応する上りＩＱデータとして、前記物理回線を介して前記無線装置制御装置に送信するように構成されている上り通信処理部と、
前記物理回線を介して前記無線装置制御装置から受信した各アンテナ及び各キャリアの組み合わせに対応する下りＩＱデータに対して変調処理を施すことによって、各キャリアの下り信号を取得するように構成されている下り通信処理部と、
取得した前記各キャリアの下り信号を、各アンテナを介して送信するように構成されている下り無線部とを具備し、
前記無線装置制御装置は、
前記物理回線を介して前記無線装置から受信した前記上りＩＱデータから、上りユーザデータを取得するように構成されている上り通信処理部と、
下りユーザデータから取得した前記下りＩＱデータを、前記物理回線を介して前記無線装置に送信するように構成されている下り通信処理部とを具備し、
前記無線装置において、特定アンテナ及び特定キャリアの組み合わせに対応する上りＩＱデータに対応する前記上り通信処理部又は特定アンテナ及び特定キャリアの組み合わせに対応する下りＩＱデータに対応する前記下り通信処理部における障害の発生が検知された場合に、前記下り無線部は、該特定アンテナを介した該特定キャリアの下り信号の送信を停止するように構成されており、前記上り通信処理部は、該特定アンテナ及び該特定キャリアの組み合わせに対応する上りＩＱデータの値を全て「０」として前記無線装置制御装置に送信するように構成されていることを特徴とする無線基地局。
【請求項５】
物理回線を介して無線装置に接続されており、無線基地局を構成する無線装置制御装置であって、
前記物理回線を介して前記無線装置から受信した各アンテナ及び各キャリアの組み合わせに対応する上りＩＱデータから、上りユーザデータを取得するように構成されている上り通信処理部と、
下りユーザデータから取得した各アンテナ及び各キャリアの組み合わせに対応する下りＩＱデータを、前記物理回線を介して前記無線装置に送信するように構成されている下り通信処理部とを具備し、
前記無線装置制御装置において、前記物理回線における上り通信障害の発生が検知された場合に、前記下り通信処理部は、全てのアンテナ及び全てのキャリアの組み合わせに対応する下りＩＱデータの値を全て「０」として前記無線装置に送信するように構成されており、
前記無線装置は、値が全て「０」である前記下りＩＱデータを受信した場合に、全てのアンテナを介した全てのキャリアの下り信号の送信を停止するように構成されていることを特徴とする無線装置制御装置。
【請求項６】
物理回線を介して無線装置に接続されており、無線基地局を構成する無線装置制御装置であって、
前記物理回線を介して前記無線装置から受信した各アンテナ及び各キャリアの組み合わせに対応する上りＩＱデータから、上りユーザデータを取得するように構成されている上り通信処理部と、
下りユーザデータから取得した各アンテナ及び各キャリアの組み合わせに対応する下りＩＱデータを、前記物理回線を介して前記無線装置に送信するように構成されている下り通信処理部とを具備し、
前記無線装置制御装置において、特定アンテナ及び特定キャリアの組み合わせに対応する上りＩＱデータに対応する前記上り通信処理部又は特定アンテナ及び特定キャリアの組み合わせに対応する下りＩＱデータに対応する前記下り通信処理部における障害の発生が検出された場合に、前記下り通信処理部は、該特定アンテナ及び該特定キャリアの組み合わせに対応する下りＩＱデータの値を全て「０」として前記無線装置に送信するように構成されており、
前記無線装置は、値が全て「０」である前記下りＩＱデータを受信した場合に、該特定アンテナを介した該特定キャリアの下り信号の送信を停止するように構成されていることを特徴とする無線装置制御装置。
【請求項７】
物理回線を介して無線装置制御装置に接続されており、無線基地局を構成する無線装置であって、
各アンテナを介して各キャリアの上り信号を受信するように構成されている上り無線部と、
受信した前記上り信号に対して復調処理を施すことによって取得した上りＩＱデータを、各アンテナ及び各キャリアの組み合わせに対応する上りＩＱデータとして、前記物理回線を介して前記無線装置制御装置に送信するように構成されている上り通信処理部と、
前記物理回線を介して前記無線装置制御装置から受信した各アンテナ及び各キャリアの組み合わせに対応する下りＩＱデータに対して変調処理を施すことによって取得した各キャリアの下り信号を、各アンテナを介して送信するように構成されている下り無線部とを具備し、
前記無線装置において、前記物理回線における下り通信障害の発生が検知された場合、前記上り無線部における障害の発生が検知された場合、或いは、前記下り無線部における障害の発生が検知された場合に、前記下り無線部は、全てのアンテナを介した全てのキャリアの下り信号の送信を停止するように構成されており、前記上り通信処理部は、全てのアンテナ及び全てのキャリアの組み合わせに対応する上りＩＱデータの値を全て「０」として前記無線装置制御装置に送信するように構成されていることを特徴とする無線装置。
【請求項８】
物理回線を介して無線装置制御装置に接続されており、無線基地局を構成する無線装置であって、
各アンテナを介して受信した各キャリアの上り信号に対して復調処理を施すことによって取得した上りＩＱデータを、各アンテナ及び各キャリアの組み合わせに対応する上りＩＱデータとして、前記物理回線を介して前記無線装置制御装置に送信するように構成されている上り通信処理部と、
前記物理回線を介して前記無線装置制御装置から受信した各アンテナ及び各キャリアの組み合わせに対応する下りＩＱデータに対して変調処理を施すことによって、各キャリアの下り信号を取得するように構成されている下り通信処理部と、
取得した前記各キャリアの下り信号を、各アンテナを介して送信するように構成されている下り無線部とを具備し、
前記無線装置において、特定アンテナ及び特定キャリアの組み合わせに対応する上りＩＱデータに対応する前記上り通信処理部或いは特定アンテナ及び特定キャリアの組み合わせに対応する下りＩＱデータに対応する前記下り通信処理部における障害の発生が検知された場合に、前記下り無線部は、該特定アンテナを介した該特定キャリアの下り信号の送信を停止するように構成されており、前記上り通信処理部は、該特定アンテナ及び該特定キャリアの組み合わせに対応する上りＩＱデータの値を全て「０」として前記無線装置制御装置に送信するように構成されていることを特徴とする無線装置。
【発明の詳細な説明】
【技術分野】
【０００１】
本発明は、無線基地局、無線装置制御装置及び無線装置に関する。
【背景技術】
【０００２】
従来、無線装置ＲＥ（Ｒａｄｉｏ  Ｅｑｕｉｐｍｅｎｔ）と無線装置制御装置ＲＥＣ（Ｒａｄｉｏ  Ｅｑｕｉｐｍｅｎｔ  Ｃｏｎｔｒｏｌ）とを具備しており、無線装置ＲＥと無線装置制御装置ＲＥＣとの間で光回線或いは電気回線等の物理回線を介して信号を送受信するように構成されている無線基地局ＢＴＳ（Ｂａｓｅ  Ｔｒａｎｓｃｅｉｖｅｒ  Ｓｔａｔｉｏｎ）が知られている。
【発明の概要】
【発明が解決しようとする課題】
【０００３】
しかしながら、かかる無線基地局を構成する無線装置ＲＥ及び無線装置制御装置ＲＥＣは、物理回線を介して接続されている別個の装置であるため、一方の装置において障害が発生した場合であっても、他方の装置は、当該障害の発生を即座に検知することができず、無線通信を即座に停止することができないという問題点があった。【０００４】
具体的には、図３に示すように、無線装置ＲＥ及び無線装置制御装置ＲＥＣは、レイヤ３における「コントロール＆マネージメント領域」において、互いの状態を常時監視することができるように構成されている。【０００５】
しかしながら、かかる「コントロール＆マネージメント領域」には、他の監視制御信号も常時通信されているため、無線装置ＲＥ及び無線装置制御装置ＲＥＣの一方の装置において障害が発生した場合であっても、「コントロール＆マネージメント領域」の輻輳状況等によって、他方の装置は、必ずしも即座に状態監視信号を検出することができないため、かかる障害の発生を即座に検出することができないという問題点があった。【０００６】
そこで、本発明は、上述の課題に鑑みてなされたものであり、無線装置制御装置ＲＥＣ及び無線装置ＲＥのいずれかにおいて障害が発生した場合に、両装置において即座に無線通信を停止することができる無線基地局、無線装置制御装置及び無線装置を提供することを目的とする。
【課題を解決するための手段】
【０００７】
本発明の第１の特徴は、物理回線を介して接続されている無線装置と無線装置制御装置とを具備する無線基地局であって、前記無線装置は、各アンテナを介して受信した各キャリアの上り信号に対して復調処理を施すことによって取得した上りＩＱデータを、各アンテナ及び各キャリアの組み合わせに対応する上りＩＱデータとして、前記物理回線を介して前記無線装置制御装置に送信するように構成されている上り通信処理部と、前記物理回線を介して前記無線装置制御装置から受信した各アンテナ及び各キャリアの組み合わせに対応する下りＩＱデータに対して変調処理を施すことによって取得した各キャリアの下り信号を、各アンテナを介して送信するように構成されている下り無線部とを具備し、前記無線装置制御装置は、前記物理回線を介して前記無線装置から受信した前記上りＩＱデータから、上りユーザデータを取得するように構成されている上り通信処理部と、下りユーザデータから取得した前記下りＩＱデータを、前記物理回線を介して前記無線装置に送信するように構成されている下り通信処理部とを具備し、前記無線装置制御装置において、前記物理回線における上り通信障害の発生が検知された場合に、前記下り通信処理部は、全てのアンテナ及び全てのキャリアの組み合わせに対応する下りＩＱデータの値を全て「０」として前記無線装置に送信するように構成されており、前記下り無線部は、値が全て「０」である前記下りＩＱデータを受信した場合に、全てのアンテナを介した全てのキャリアの下り信号の送信を停止するように構成されていることを要旨とする。【０００８】
本発明の第２の特徴は、物理回線を介して接続されている無線装置と無線装置制御装置とを具備する無線基地局であって、前記無線装置は、各アンテナを介して受信した各キャリアの上り信号に対して復調処理を施すことによって取得した上りＩＱデータを、各アンテナ及び各キャリアの組み合わせに対応する上りＩＱデータとして、前記物理回線を介して前記無線装置制御装置に送信するように構成されている上り通信処理部と、前記物理回線を介して前記無線装置制御装置から受信した各アンテナ及び各キャリアの組み合わせに対応する下りＩＱデータに対して変調処理を施すことによって取得した各キャリアの下り信号を、各アンテナを介して送信するように構成されている下り無線部とを具備し、前記無線装置制御装置は、前記物理回線を介して前記無線装置から受信した前記上りＩＱデータから、上りユーザデータを取得するように構成されている上り通信処理部と、下りユーザデータから取得した前記下りＩＱデータを、前記物理回線を介して前記無線装置に送信するように構成されている下り通信処理部とを具備し、前記無線装置制御装置において、特定アンテナ及び特定キャリアの組み合わせに対応する上りＩＱデータに対応する前記上り通信処理部又は特定アンテナ及び特定キャリアに組み合わせに対応する下りＩＱデータに対応する前記下り通信処理部における障害の発生が検出された場合に、前記下り通信処理部は、該特定アンテナ及び該特定キャリアの組み合わせに対応する下りＩＱデータの値を全て「０」として前記無線装置に送信するように構成されており、前記下り無線部は、値が全て「０」である前記下りＩＱデータを受信した場合に、該特定アンテナを介した該特定キャリアの下り信号の送信を停止するように構成されていることを要旨とする。【０００９】
本発明の第３の特徴は、物理回線を介して接続されている無線装置と無線装置制御装置とを具備する無線基地局であって、前記無線装置は、各アンテナを介して各キャリアの上り信号を受信するように構成されている上り無線部と、受信した前記上り信号に対して復調処理を施すことによって取得した上りＩＱデータを、各アンテナ及び各キャリアの組み合わせに対応する上りＩＱデータとして、前記物理回線を介して前記無線装置制御装置に送信するように構成されている上り通信処理部と、前記物理回線を介して前記無線装置制御装置から受信した各アンテナ及び各キャリアの組み合わせに対応する下りＩＱデータに対して変調処理を施すことによって取得した各キャリアの下り信号を、各アンテナを介して送信するように構成されている下り無線部とを具備し、前記無線装置制御装置は、前記物理回線を介して前記無線装置から受信した前記上りＩＱデータから、上りユーザデータを取得するように構成されている上り通信処理部と、下りユーザデータから取得した前記下りＩＱデータを、前記物理回線を介して前記無線装置に送信するように構成されている下り通信処理部とを具備し、前記無線装置において、前記物理回線における下り通信障害の発生が検知された場合、前記上り無線部における障害の発生が検知された場合、或いは、前記下り無線部における障害の発生が検知された場合に、前記下り無線部は、全てのアンテナを介した全てのキャリアの下り信号の送信を停止するように構成されており、前記上り通信処理部は、全てのアンテナ及び全てのキャリアの組み合わせに対応する上りＩＱデータの値を全て「０」として前記無線装置制御装置に送信するように構成されていることを要旨とする。【００１０】
本発明の第４の特徴は、物理回線を介して接続されている無線装置と無線装置制御装置とを具備する無線基地局であって、前記無線装置は、各アンテナを介して受信した各キャリアの上り信号に対して復調処理を施すことによって取得した上りＩＱデータを、各アンテナ及び各キャリアの組み合わせに対応する上りＩＱデータとして、前記物理回線を介して前記無線装置制御装置に送信するように構成されている上り通信処理部と、前記物理回線を介して前記無線装置制御装置から受信した各アンテナ及び各キャリアの組み合わせに対応する下りＩＱデータに対して変調処理を施すことによって、各キャリアの下り信号を取得するように構成されている下り通信処理部と、取得した前記各キャリアの下り信号を、各アンテナを介して送信するように構成されている下り無線部とを具備し、前記無線装置制御装置は、前記物理回線を介して前記無線装置から受信した前記上りＩＱデータから、上りユーザデータを取得するように構成されている上り通信処理部と、下りユーザデータから取得した前記下りＩＱデータを、前記物理回線を介して前記無線装置に送信するように構成されている下り通信処理部とを具備し、前記無線装置において、特定アンテナ及び特定キャリアの組み合わせに対応する上りＩＱデータに対応する前記上り通信処理部又は特定アンテナ及び特定キャリアの組み合わせに対応する下りＩＱデータに対応する前記下り通信処理部における障害の発生が検知された場合に、前記下り無線部は、該特定アンテナを介した該特定キャリアの下り信号の送信を停止するように構成されており、前記上り通信処理部は、該特定アンテナ及び該特定キャリアの組み合わせに対応する上りＩＱデータの値を全て「０」として前記無線装置制御装置に送信するように構成されていることを要旨とする。【００１１】
本発明の第５の特徴は、物理回線を介して無線装置に接続されており、無線基地局を構成する無線装置制御装置であって、前記物理回線を介して前記無線装置から受信した各アンテナ及び各キャリアの組み合わせに対応する上りＩＱデータから、上りユーザデータを取得するように構成されている上り通信処理部と、下りユーザデータから取得した各アンテナ及び各キャリアの組み合わせに対応する下りＩＱデータを、前記物理回線を介して前記無線装置に送信するように構成されている下り通信処理部とを具備し、前記無線装置制御装置において、前記物理回線における上り通信障害の発生が検知された場合に、前記下り通信処理部は、全てのアンテナ及び全てのキャリアの組み合わせに対応する下りＩＱデータの値を全て「０」として前記無線装置に送信するように構成されており、前記無線装置は、値が全て「０」である前記下りＩＱデータを受信した場合に、全てのアンテナを介した全てのキャリアの下り信号の送信を停止するように構成されていることを要旨とする。【００１２】
本発明の第６の特徴は、物理回線を介して無線装置に接続されており、無線基地局を構成する無線装置制御装置であって、前記物理回線を介して前記無線装置から受信した各アンテナ及び各キャリアの組み合わせに対応する上りＩＱデータから、上りユーザデータを取得するように構成されている上り通信処理部と、下りユーザデータから取得した各アンテナ及び各キャリアの組み合わせに対応する下りＩＱデータを、前記物理回線を介して前記無線装置に送信するように構成されている下り通信処理部とを具備し、前記無線装置制御装置において、特定アンテナ及び特定キャリアの組み合わせに対応する上りＩＱデータに対応する前記上り通信処理部又は特定アンテナ及び特定キャリアの組み合わせに対応する下りＩＱデータに対応する前記下り通信処理部における障害の発生が検出された場合に、前記下り通信処理部は、該特定アンテナ及び該特定キャリアの組み合わせに対応する下りＩＱデータの値を全て「０」として前記無線装置に送信するように構成されており、前記無線装置は、値が全て「０」である前記下りＩＱデータを受信した場合に、該特定アンテナを介した該特定キャリアの下り信号の送信を停止するように構成されていることを要旨とする。【００１３】
本発明の第７の特徴は、物理回線を介して無線装置制御装置に接続されており、無線基地局を構成する無線装置であって、各アンテナを介して各キャリアの上り信号を受信するように構成されている上り無線部と、受信した前記上り信号に対して復調処理を施すことによって取得した上りＩＱデータを、各アンテナ及び各キャリアの組み合わせに対応する上りＩＱデータとして、前記物理回線を介して前記無線装置制御装置に送信するように構成されている上り通信処理部と、前記物理回線を介して前記無線装置制御装置から受信した各アンテナ及び各キャリアの組み合わせに対応する下りＩＱデータに対して変調処理を施すことによって取得した各キャリアの下り信号を、各アンテナを介して送信するように構成されている下り無線部とを具備し、前記無線装置において、前記物理回線における下り通信障害の発生が検知された場合、前記上り無線部における障害の発生が検知された場合、或いは、前記下り無線部における障害の発生が検知された場合に、前記下り無線部は、全てのアンテナを介した全てのキャリアの下り信号の送信を停止するように構成されており、前記上り通信処理部は、全てのアンテナ及び全てのキャリアの組み合わせに対応する上りＩＱデータの値を全て「０」として前記無線装置制御装置に送信するように構成されていることを要旨とする。【００１４】
本発明の第８の特徴は、物理回線を介して無線装置制御装置に接続されており、無線基地局を構成する無線装置であって、各アンテナを介して受信した各キャリアの上り信号に対して復調処理を施すことによって取得した上りＩＱデータを、各アンテナ及び各キャリアの組み合わせに対応する上りＩＱデータとして、前記物理回線を介して前記無線装置制御装置に送信するように構成されている上り通信処理部と、前記物理回線を介して前記無線装置制御装置から受信した各アンテナ及び各キャリアの組み合わせに対応する下りＩＱデータに対して変調処理を施すことによって、各キャリアの下り信号を取得するように構成されている下り通信処理部と、取得した前記各キャリアの下り信号を、各アンテナを介して送信するように構成されている下り無線部とを具備し、前記無線装置において、特定アンテナ及び特定キャリアの組み合わせに対応する上りＩＱデータに対応する前記上り通信処理部或いは特定アンテナ及び特定キャリアの組み合わせに対応する下りＩＱデータに対応する前記下り通信処理部における障害の発生が検知された場合に、前記下り無線部は、該特定アンテナを介した該特定キャリアの下り信号の送信を停止するように構成されており、前記上り通信処理部は、該特定アンテナ及び該特定キャリアの組み合わせに対応する上りＩＱデータの値を全て「０」として前記無線装置制御装置に送信するように構成されていることを要旨とする。
【発明の効果】
【００１５】
以上説明したように、本発明によれば、無線装置制御装置ＲＥＣ及び無線装置ＲＥのいずれかにおいて障害が発生した場合に、両装置において即座に無線通信を停止することができる無線基地局、無線装置制御装置及び無線装置を提供することができる。
【図面の簡単な説明】
【００１６】
【図１】図１は、本発明の第１の実施形態に係る無線基地局の機能ブロック図である。
【図２】図２は、本発明の第１の実施形態に係る無線基地局を構成する無線装置と無線装置制御装置との間で用いられるプロトコルスタックを示す図である。
【図３】図３は、本発明の第１の実施形態に係る無線基地局内の無線装置及び無線装置制御装置の動作を示すフローチャートである。
【図４】図４は、本発明の第１の実施形態に係る無線基地局内の無線装置及び無線装置制御装置の動作を示すフローチャートである。
【図５】図５は、本発明の第１の実施形態に係る無線基地局内の無線装置及び無線装置制御装置の動作を示すフローチャートである。
【図６】図６は、本発明の第１の実施形態に係る無線基地局内の無線装置及び無線装置制御装置の動作を示すフローチャートである。
【発明を実施するための形態】
【００１７】
（本発明の第１の実施形態に係る無線基地局の構成）
図１及び図２を参照して、本発明の第１の実施形態に係る無線基地局ＢＴＳの構成について説明する。
【００１８】
図１に示すように、本実施形態に係る無線基地局ＢＴＳは、無線装置ＲＥと、無線装置制御装置ＲＥＣとを具備している。ここで、無線装置ＲＥと無線装置制御装置ＲＥＣとは、別個の装置であり、光回線或いは電気回線等の物理回線によって互いに接続されている。例えば、無線装置ＲＥ及び無線装置制御装置ＲＥＣは、ＣＰＲＩ（Ｃｏｍｍｏｎ  Ｐｕｂｌｉｃ  Ｒａｄｉｏ  Ｉｎｔｅｒｆａｃｅ）によって規定されているものである。
【００１９】
無線装置ＲＥは、受信系統の機能として、フィルタ２２と、ＬＮＡ（Ｌｏｗ  Ｎｏｉｓｅ  Ａｍｐｌｉｆｉｅｒ、低雑音増幅器）２３と、ＴＲＸ機能部２１とを具備しており、送信系統の機能として、ＴＲＸ機能部２１と、増幅器２４と、フィルタ２５とを具備している。
【００２０】
フィルタ２２は、移動局ＵＥによって送信されて各アンテナによって受信された上り信号から妨害波信号を除去するように構成されている。
【００２１】
ＬＮＡ２３は、フィルタ２２から入力された上り信号（希望波信号）を増幅するように構成されている。
【００２２】
増幅器２４は、ＴＲＸ機能部２１から入力された下り信号を増幅するように構成されている。
【００２３】
フィルタ２５は、増幅器２４から入力された下り信号から雑音信号を除去するように構成されている。
【００２４】
ＴＲＸ機能部２１は、各アンテナ（及び、各アンテナに対応するフィルタ２２及びＬＮＡ２３）を介して各キャリアの上り信号を受信するように構成されている上り無線部の機能を実現する。
【００２５】
また、ＴＲＸ機能部２１は、各アンテナを介して受信した各キャリアの上り信号に対して復調処理を施すことによって取得した上りＩＱデータを、各アンテナ（アンテナブランチ）及び各キャリアの組み合わせに対応する上りＩＱデータとして、物理回線を介して無線装置制御装置ＲＥＣに送信するように構成されている上り通信処理部の機能を実現する。
【００２６】
ここで、アンテナ（アンテナブランチ）の数は、複数であってもよいし、１つであってもよい。したがって、本明細書では、アンテナ（アンテナブランチ）の数が、１つである場合には、「各アンテナ及び各キャリアの組み合わせに対応する上りＩＱデータ及び下りＩＱデータ」という記載は、「各キャリアに対応する上りＩＱデータ及び下りＩＱデータ」と同じ意味を有する。同様に、アンテナ（アンテナブランチ）の数が、１つである場合には、「全てのアンテナ及び全ての各キャリアの組み合わせに対応する上りＩＱデータ及び下りＩＱデータ」という記載は、「全てのキャリアに対応する上りＩＱデータ及び下りＩＱデータ」と同じ意味を有する。
【００２７】
具体的には、第１に、ＴＲＸ機能部２１は、各アンテナにおいて受信された各キャリアの上り信号（無線周波数信号）を、上り信号（ベースバンド信号）に変換するように構成されている。
【００２８】
第２に、ＴＲＸ機能部２１は、かかる上り信号（ベースバンド信号）に対して、ＡＧＣ（Ａｕｔｏｍａｔｉｃ  Ｇａｉｎ  Ｃｏｎｔｒｏｌ）処理を施すことによって、一定の出力レベルの上り信号を出力するように構成されている。ここで、ＡＧＣ処理は、上り信号の入力レベルに応じて、かかる上り信号の出力レベルを変更する処理である。
【００２９】
なお、ＴＲＸ機能部２１は、上り信号のダイナミックレンジ（３ＧＰＰでは、３０ｄＢ以上）及び使用可能なビット数（伝送路速度）に基づいて、かかる上り信号（ベースバンド信号）に対して、ＡＧＣ処理を施すか否かについて決定するように構成されていてもよい。
【００３０】
第３に、ＴＲＸ機能部２１は、ＡＧＣ処理を施した上り信号に対して、復調処理（直交復調処理）を施すように構成されている。
【００３１】
第４に、ＴＲＸ機能部２１は、復調処理を施した上り信号に対して、ＡＤ変換処理（アナログ-デジタル変換処理）を施して、各アンテナ及び各キャリアの組み合わせに対応する上りＩＱデータを出力するように構成されている。
【００３２】
第５に、ＴＲＸ機能部２１は、各アンテナ及び各キャリアの組み合わせに対応する上りＩＱデータを、無線装置制御装置ＲＥＣに対して送信するように構成されている。
【００３３】
また、ＴＲＸ機能部２１は、物理回線を介して無線装置制御装置ＲＥＣから受信した各アンテナ及び各キャリアの組み合わせに対応する下りＩＱデータに対して変調処理を施すことによって、各キャリアの下り信号を取得するように構成されている下り通信処理部の機能を実現する。
【００３４】
さらに、ＴＲＸ機能部２１は、取得された各キャリアの下り信号を、各アンテナ（及び、各アンテナに対応する増幅器２４及びフィルタ２５）を介して送信するように構成されている下り無線部の機能を実現する。
【００３５】
ここで、図２を参照して、無線装置ＲＥと無線装置制御装置ＲＥＣとの間で用いられるプロトコルスタック、すなわち、送信フレームの構成について説明する。
【００３６】
図２の例では、無線装置制御装置ＲＥＣと無線装置ＲＥとの間のレイヤ３間通信では、「ユーザプレーン（Ｕｓｅｒ  Ｐｌａｎｅ）情報」や「コントロール＆マネージメントプレーン（Ｃｏｎｔｒｏｌ  ＆  Ｍａｎａｇｅｍｅｎｔ  Ｐｌａｎｅ）情報」や「ＳＹＮＣ情報（同期情報）」が送受信されるように構成されている。
【００３７】
具体的には、ＴＲＸ機能部２１及びベースバンド処理部１１（後述）のレイヤ３機能部は、上位レイヤ（レイヤ４）機能部から受信したアプリケーション情報を、送信フレーム内の「ユーザプレーン情報用領域」、「コントロール＆マネージメントプレーン情報用領域」又は「ＳＹＮＣ情報用領域」のいずれかにマッピングするように構成されている。
【００３８】
また、無線装置制御装置ＲＥＣと無線装置ＲＥとの間のレイヤ２間通信では、「ＩＱデータ」や「ベンダー独自（Ｖｅｎｄｅｒ  Ｓｐｅｃｉｆｉｃ）データ」や「イーサネット（登録商標）データ」や「ＨＤＬＣデータ」や「Ｌ１インバンドプロトコル（Ｌ１  Ｉｎｂａｎｄ  Ｐｒｏｔｏｃｏｌ）データ」等が送受信されるように構成されている。
【００３９】
なお、Ｌ１インバンドプロトコルは、レイヤ１におけるリンク状態の保守等を行うためのプロトコルである。
【００４０】
具体的には、ＴＲＸ機能部２１及びベースバンド処理部１１のレイヤ２機能部は、レイヤ３機能部から受信した「ＳＹＮＣ情報（同期情報）」を、送信フレーム内の「Ｌ１インバンドプロトコルデータ用領域」にマッピングするように構成されている。
【００４１】
また、ＴＲＸ機能部２１及びベースバンド処理部１１のレイヤ２機能部は、レイヤ３機能部から受信した「コントロール＆マネージメントプレーン情報」を、送信フレーム内の「Ｌ１インバンドプロトコルデータ用領域」、「ＨＤＬＣデータ用領域」、「イーサネット（登録商標）データ用領域」又は「ベンダー独自データ用領域」のいずれかにマッピングするように構成されている。
【００４２】
また、ＴＲＸ機能部２１及びベースバンド処理部１１のレイヤ２機能部は、レイヤ３機能部から受信した「ユーザプレーン情報」を、送信フレーム内の「ベンダー独自データ用領域」又は「ＩＱデータ用領域」にマッピングするように構成されている。
【００４３】
また、ＴＲＸ機能部２１及びベースバンド処理部１１のレイヤ１機能部は、レイヤ２機能部から受信した情報を、電気回線又は光回線上で、時分割多重方式が用いて送信するように構成されている。
【００４４】
図１に示すように、無線装置制御装置ＲＥＣは、ベースバンド処理部１１と、呼処理機能部１２と、保守監視制御機能部１３とを具備している。
【００４５】
ベースバンド処理部１１は、無線装置ＲＥから受信したフレームから、ＩＱデータやベンダー独自データやイーサネット（登録商標）データやＨＤＬＣデータやＬ１インバンドプロトコルデータ等を抽出するように構成されている。
【００４６】
具体的には、ベースバンド処理部１１は、物理回線を介して無線装置ＲＥから受信した送信フレーム内の「ＩＱデータ用領域」にマッピングされているＩＱデータから、各アンテナ及び各キャリアの組み合わせに対応する上りＩＱデータを取得し、取得した各アンテナ及び各キャリアの組み合わせに対応する上りＩＱデータから、上りユーザデータを取得するように構成されている上り通信処理部の機能を実現する。
【００４７】
ここで、各アンテナ及び各キャリアの組み合わせに対応するＩＱデータは、「ＩＱデータ用領域」内の所定位置にマッピングされているものとする。なお、無線装置制御装置ＲＥＣ及び無線装置ＲＥにおいて、「ＩＱデータ用領域」内の各アンテナ及び各キャリアの組み合わせに対応するＩＱデータのマッピング位置について既知であるものとする。
【００４８】
例えば、ベースバンド処理部１１は、受信した各アンテナ及び各キャリアの組み合わせに対応する上りＩＱデータに対して逆拡散処理を施す機能を具備している。
【００４９】
また、ベースバンド処理部１１は、上位レイヤから取得した下りユーザデータから各アンテナ及び各キャリアに対応する下りＩＱデータを生成して、物理回線を介して無線装置ＲＥに送信するように構成されている下り通信処理部の機能を実現する。
【００５０】
例えば、ベースバンド処理部１１は、受信した下りユーザデータに対して拡散処理を施す機能を具備している。
【００５１】
呼処理機能部２２は、ベースバンド処理部２１から出力された情報（例えば、ユーザプレーン情報やコントロール＆マネージメントプレーン情報等）を用いて、呼処理制御を行うように構成されている。
【００５２】
保守監視制御機能部１３は、ベースバンド処理部２１から出力された情報（例えば、ユーザプレーン情報やコントロール＆マネージメントプレーン情報等）を用いて、保守監視制御を行うように構成されている。
【００５３】
（本発明の第１の実施形態に係る無線基地局の動作）
以下、図３乃至図６を参照して、本発明の第１の実施形態に係る無線基地局ＢＴＳ内で各種障害が発生した場合の動作について説明する。
【００５４】
第１に、図３を参照して、物理回線におけるの上り通信障害が発生した場合の無線基地局ＢＴＳの動作について説明する。
【００５５】
図３に示すように、ステップＳ１０１において、無線装置制御装置ＲＥＣが、物理回線における上り通信障害の発生を検知する。
【００５６】
例えば、ステップＳ１０１において、ベースバンド処理部１１が、かかる上り通信障害として、物理回線自体における障害（「電気伝送」や「光伝送」や「時分割多重」における障害）ではなく、「ＨＤＬＣ」や「イーサネット（登録商標）」や「コントロール＆マネージメントプレーン」における通信障害を検出する。
【００５７】
ステップＳ１０２において、ベースバンド処理部１１内の下り通信処理部が、全てのアンテナ及び全てのキャリアの組み合わせに対応する下りＩＱデータの値を全て「０」として無線装置ＲＥに送信する。
【００５８】
すなわち、ステップＳ１０２において、ベースバンド処理部１１内の下り通信処理部は、送信フレーム内の「ＩＱデータ用領域」にマッピングする全ての下りＩＱデータの値を全て「０」とする。
【００５９】
ステップＳ１０３において、ＴＲＸ機能部２１内の下り通信処理部が、かかる下りＩＱデータを受信した場合に、すなわち、送信フレーム内の「ＩＱデータ用領域」内で、全てのアンテナ及び全てのキャリアの組み合わせに対応する下りＩＱデータの値が全て「０」であることを検知した場合、ＴＲＸ機能部２１内の下り無線部は、全てのアンテナを介した全てのキャリアの下り信号の送信を停止する。
【００６０】
第２に、図４を参照して、特定アンテナ及び特定キャリアの組み合わせに対応するベースバンド処理部１１の一部機能における障害が発生した場合の無線基地局ＢＴＳの動作について説明する。
【００６１】
図４に示すように、ステップ２０１において、無線装置制御装置ＲＥＣが、特定アンテナ及び特定キャリアの組み合わせに対応するベースバンド処理部１１の一部機能における障害の発生を検知する。
【００６２】
例えば、ステップＳ２０１において、ベースバンド処理部１１が、特定アンテナ及び特定キャリアの組み合わせに対応する上りＩＱデータに対応する上り通信処理部の一部機能（例えば、逆拡散処理を施す機能等）における障害の発生を検知する。
【００６３】
或いは、ベースバンド処理部１１が、特定アンテナ及び特定キャリアの組み合わせに対応する下りＩＱデータに対応する下り通信処理部の一部機能（例えば、変調処理を施す機能等）における障害の発生を検知する。
【００６４】
ステップＳ２０２において、ベースバンド処理部１１内の下り通信処理部が、かかる特定アンテナ及び特定キャリアの組み合わせに対応する下りＩＱデータの値を全て「０」として無線装置に送信する。
【００６５】
すなわち、ステップＳ２０２において、ベースバンド処理部１１内の下り通信処理部は、送信フレーム内の「ＩＱデータ用領域」にマッピングする下りＩＱデータのうち、かかる特定アンテナ及び特定キャリアの組み合わせに対応する下りＩＱデータの値を全て「０」とする。
【００６６】
ステップＳ２０３において、ＴＲＸ機能部２１内の下り通信処理部が、かかる下りＩＱデータを受信した場合に、すなわち、送信フレーム内の「ＩＱデータ用領域」内で、特定アンテナ及び特定キャリアの組み合わせに対応する下りＩＱデータの値が全て「０」であることを検知した場合、ＴＲＸ機能部２１内の下り無線は、特定アンテナを介した特定キャリアの下り信号の送信を停止する。
【００６７】
第３に、図５を参照して、物理回線における下り通信障害が発生した場合、無線装置ＲＥの上り無線部における障害が発生した場合、或いは、無線装置ＲＥの下り無線部における障害が発生した場合の無線基地局ＢＴＳの動作について説明する。
【００６８】
図５に示すように、ステップＳ３０１において、無線装置ＲＥが、物理回線における下り通信障害の発生、ＴＲＸ機能部２１内の上り無線部における障害の発生、或いは、ＴＲＸ機能部２１内の下り無線部における障害の発生を検知する。
【００６９】
例えば、ステップＳ３０１において、ＴＲＸ機能部２１内の下り通信処理部が、かかる下り通信障害として、物理回線自体における障害（「電気伝送」や「光伝送」や「時分割多重」における障害）ではなく、「ＨＤＬＣ」や「イーサネット（登録商標）」や「コントロール＆マネージメントプレーン」における通信障害を検出する。
【００７０】
ステップＳ３０２において、ＴＲＸ機能部２１内の下り無線部が、全てのアンテナを介した全てのキャリアの下り信号の送信を停止する。
【００７１】
ステップＳ３０３において、ＴＲＸ機能部２１内の上り通信処理部は、全てのアンテナ及び全てのキャリアの組み合わせに対応する上りＩＱデータの値を全て「０」として無線装置制御装置ＲＥＣに送信する。
【００７２】
すなわち、ステップＳ３０３において、ＴＲＸ機能部２１内の上り通信処理部は、送信フレーム内の「ＩＱデータ用領域」にマッピングする全ての上りＩＱデータの値を全て「０」とする。
【００７３】
ステップＳ３０４において、ベースバンド処理部１１内の上り通信処理部は、かかる上りＩＱデータを受信した場合に、すなわち、送信フレーム内の「ＩＱデータ用領域」内で、全てのアンテナ及び全てのキャリアの組み合わせに対応する上りＩＱデータの値が全て「０」であることを検知した場合、全てのアンテナ及び全てのキャリアの組み合わせに対応する上り信号の受信及び下り信号の送信を停止する。
【００７４】
第４に、図６を参照して、特定アンテナ及び特定キャリアの組み合わせに対応するＴＲＸ機能部２１の一部機能における障害が発生した場合の無線基地局ＢＴＳの動作について説明する。
【００７５】
図６に示すように、ステップＳ４０１において、無線装置ＲＥが、特定アンテナ及び特定キャリアの組み合わせに対応するＴＲＸ機能部２１の一部機能における障害の発生を検知する。
【００７６】
例えば、ステップＳ４０１において、ＴＲＸ機能部２１が、特定アンテナ及び特定キャリアの組み合わせに対応する上りＩＱデータに対応する上り通信処理部の一部機能（例えば、復調処理を施す機能等）における障害の発生を検知する。
【００７７】
或いは、ＴＲＸ機能部２１が、特定アンテナ及び特定キャリアの組み合わせに対応する下りＩＱデータに対応する下り通信処理部の一部機能（例えば、変調処理を施す機能等）における障害の発生を検知する。
【００７８】
ステップＳ４０２において、ＴＲＸ機能部２１内の下り無線部が、かかる特定アンテナを介した特定キャリアの下り信号の送信を停止する。
【００７９】
ステップＳ４０３において、ＴＲＸ機能部２１内の上り通信処理部は、かかる特定アンテナ及び特定キャリアの組み合わせに対応する上りＩＱデータの値を全て「０」として無線装置制御装置ＲＥＣに送信する。
【００８０】
すなわち、ステップＳ４０３において、ＴＲＸ機能部２１内の上り通信処理部は、送信フレーム内の「ＩＱデータ用領域」にマッピングする上りＩＱデータのうち、かかる特定アンテナ及び特定キャリアの組み合わせに対応する上りＩＱデータの値を全て「０」とする。
【００８１】
ステップＳ４０４において、ベースバンド処理部１１内の上り通信処理部は、かかる上りＩＱデータを受信した場合に、すなわち、送信フレーム内の「ＩＱデータ用領域」内で、特定アンテナ及び特定キャリアの組み合わせに対応する上りＩＱデータの値が全て「０」であることを検知した場合、特定アンテナ及び特定キャリアの組み合わせに対応する上り信号の受信を停止する。
【００８２】
（本発明の第１の実施形態に係る無線基地局の作用・効果）
本発明の第１の実施形態に係る無線基地局によれば、無線装置ＲＥ及び無線装置制御装置ＲＥＣは、「ＩＱデータ領域」を用いて、互いの状態を監視することができるため、無線装置ＲＥ及び無線装置制御装置ＲＥＣの一方の装置において障害が発生した場合には、「コントロール＆マネージメント領域」の輻輳状況等に関係なく、他方の装置は、即座に、かかる障害の発生を即座に検出することができる。
【００８３】
本発明の第１の実施形態に係る無線基地局によれば、無線装置制御装置ＲＥＣは、物理回線における上り通信障害の発生を検知した場合に、全てのアンテナ及び全てのキャリアの組み合わせに対応する下りＩＱデータの値を全て「０」として無線装置ＲＥに送信することによって、即座に、無線装置ＲＥにおける下り信号の送信を停止することができる。
【００８４】
また、本発明の第１の実施形態に係る無線基地局によれば、無線装置ＲＥは、物理回線における下り通信障害の発生を検知した場合や、ＴＲＸ機能部２１内の上り無線部及び下り無線部における障害の発生を検知した場合に、全てのアンテナ及び全てのキャリアの組み合わせに対応する上りＩＱデータの値を全て「０」として無線装置ＲＥに送信することによって、即座に、無線装置制御装置ＲＥＣにおける下り信号の送信及び上り信号の受信を停止することができる。
【００８５】
また、本発明の第１の実施形態に係る無線基地局によれば、無線装置制御装置ＲＥＣは、特定アンテナ及び特定キャリアの組み合わせに対応するベースバンド処理部１１の一部機能における障害の発生を検知した場合に、特定アンテナ及び特定キャリアの組み合わせに対応する下りＩＱデータの値を全て「０」として無線装置ＲＥに送信することによって、即座に、無線装置ＲＥにおいて、障害対象となっている特定アンテナ及び特定キャリアの組み合わせに対応する下り信号の送信のみを停止することができる。
【００８６】
また、本発明の第１の実施形態に係る無線基地局によれば、無線装置ＲＥは、特定アンテナ及び特定キャリアの組み合わせに対応するＴＲＸ機能部２１の一部機能における障害の発生を検知した場合に、特定アンテナ及び特定キャリアの組み合わせに対応する上りＩＱデータの値を全て「０」として無線装置制御装置ＲＥＣに送信することによって、即座に、無線装置制御装置ＲＥＣにおいて、障害対象となっている特定アンテナ及び特定キャリアの組み合わせに対応する下り信号の送信及び上り信号の受信のみを停止することができる。
【００８７】
なお、上述の無線装置ＲＥ及び無線装置制御装置ＲＥＣの動作は、ハードウェアによって実施されてもよいし、プロセッサによって実行されるソフトウェアモジュールによって実施されてもよいし、両者の組み合わせによって実施されてもよい。
【００８８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線装置ＲＥ及び無線装置制御装置ＲＥＣ内に設けられていてもよい。また、かかる記憶媒体及びプロセッサは、ディスクリートコンポーネントとして無線装置ＲＥ及び無線装置制御装置ＲＥＣ内に設けられていてもよい。
【００９０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2010084876.tif 000003
【図２】
2010084876.tif 000004
【図３】
2010084876.tif 000005
【図４】
2010084876.tif 000006
【図５】
2010084876.tif 000007
【図６】
2010084876.tif 000008
【国際調査報告】
2010084876.tif 000009
2010084876.tif 000010